(57)【要約】      （修正有）【課題】赤外線ポットによる赤外線放射時において、欺瞞を行う方位に対する放射強度が弱まることを防止し、かつ、各赤外線ポットから放射される赤外線が重なることを防止する赤外線ポット展開装置を提供する。【解決手段】空中に発射される飛翔体内に格納され、空中で飛翔体から外部に放出される円上散布型ＩＲデコイ弾１５であって、空中で展開し下端部が円形に広がる主傘１５ａと、展開時において主傘１５ａの円形に沿って間隔を隔てて吊下げられる複数の赤外線ポット１４と、を備える。【選択図】図５
2013242093.tif 000002
【特許請求の範囲】
【請求項１】
空中に発射される飛翔体内に格納され、空中で飛翔体から外部に放出される円上散布型ＩＲデコイ弾であって、
空中で展開し下端部が円形に広がる主傘と、
前記展開時において主傘の前記円形に沿って間隔を隔てて吊下げられる複数の赤外線ポットと、を備える、ことを特徴とする円上散布型ＩＲデコイ弾。
【請求項２】
さらに、空中で展開し前記主傘の天頂部を吊下げる副傘を有する、ことを特徴とする請求項１に記載の円上散布型ＩＲデコイ弾。
【請求項３】
前記間隔は、隣接する赤外線ポットから放射される赤外線の有効直径が重ならないように設定されている、ことを特徴とする請求項１又は請求項２に記載の円上散布型ＩＲデコイ弾。
【請求項４】
空中で展開し下端部が円形に広がる主傘と、
空中で展開し前記主傘の天頂部を吊下げる副傘と、
前記展開時において主傘の前記円形に沿って間隔を隔てて吊下げられる複数の赤外線ポットと、を備える円上散布型ＩＲデコイ弾を準備し、
（Ａ）前記飛翔体内に前記主傘と、前記複数の赤外線ポットを格納し、
（Ｂ）艦艇から前記飛翔体を発射し、
（Ｃ）空中において、前記主傘と前記複数の赤外線ポットとを放出し、
（Ｄ）前記放出後、前記主傘を展開する、ことを特徴とする円上散布型ＩＲデコイ弾の散布方法。
【請求項５】
さらに、空中で展開し前記主傘の天頂部を吊下げる副傘を準備し、
前記（Ａ）において、前記副傘を格納し、
前記（Ｃ）において、前記副傘を放出し、
前記（Ｄ）において、前記副傘を展開する、ことを特徴とする請求項４に記載の円上散布型ＩＲデコイ弾の散布方法。
【発明の詳細な説明】
【技術分野】
【０００１】
本発明は、赤外線を放射することで、敵等からの攻撃を欺瞞する赤外線ポットを拡散する円上散布型ＩＲデコイ弾及びこれによる散布方法に関する。
【背景技術】
【０００２】
敵等からの誘導飛翔体による攻撃を受けた場合、かかる誘導飛翔体に対して電波妨害や赤外線妨害を行うことでこれを回避する方法が用いられている。
【０００３】
電波妨害については、例えば、特許文献１に記載されているコーナーリフレクタが知られている。
特許文献１のコーナーリフレクタは、電波反射膜を有することによって、電波を入射してきた方向に反射することができる。また、特許文献１のコーナーリフレクタは、バルーンを有しており、これがボンベ等によって膨張することによって、電波反射膜が展開するようになっている。
そのため、例えば、空中で展開したコーナーリフレクタに、追尾用レーダ装置やミサイルのレーダシーカから電波が入射すると、コーナーリフレクタは、電波を入射してきた方向に反射することができるため、コーナーリフレクタをレーダのおとりにすることができる。
【０００４】
一方、赤外線妨害については、例えば、特許文献２に記載されているＩＲデコイが知られている。
特許文献２のＩＲデコイは、水上艦に搭載された発射筒から電波妨害弾及びＩＲデコイ弾を発射し、これが落下している間において、敵等から発射された誘導飛翔体を欺瞞するものである。
そのため、電波妨害弾とＩＲデコイ弾が同一高度まで達した後、分離機構が作動してＩＲデコイ弾を分離することで、誘導飛翔体の追尾セルの範囲内に電波妨害弾とＩＲデコイ弾が同時に位置することが可能となる。
また、誘導飛翔体が複合誘導方法で飛来した場合であっても、有効な妨害効果を持続することができる。
【先行技術文献】
【特許文献】
【０００５】
【特許文献１】特開平０４−３５５３８８号公報
【特許文献２】特開２０００−１２１２９８号公報
【発明の概要】
【発明が解決しようとする課題】
【０００６】
ここで、上記特許文献に記載されているようなＩＲデコイにおいて、図１のように、筒状からなる飛翔体３の内部に赤外線ポット４を格納した状態で、艦艇１に設置された発射装置２から発射し、所定時間後にこれを展開することによって赤外線ポット４を拡散させて敵等を欺瞞することがある。
この場合、赤外線ポット４は上空において拡散されるため、赤外線ポット４は飛翔体３からの慣性力を受けながら海上に落下することになり、図２（Ａ）に示すように、上空から見た場合において、複数の赤外線ポット４が楕円状を形成しながら落下してしまう場合があった。そのため、赤外線放出時において、方位によって放射強度の強弱が発生する結果、欺瞞を行う方位について放射強度が弱くなる可能性があるという問題が発生していた。
また、赤外線ポット４の落下形状が楕円状になった結果、図２（Ｂ）に示すように、赤外線ポット４の相互の距離が接近しているものが発生し、これらから放出された煙が重なる部分が生じることによって欺瞞効果が減少してしまうという問題が発生していた。
【０００７】
そこで、本発明の目的は、赤外線ポットによる赤外線放射時において、欺瞞を行う方位に対する放射強度が弱まることを防止し、かつ、各赤外線ポットから放射される赤外線が重なることを防止する円上散布型ＩＲデコイ弾及びこれによる散布方法を提供することにある。
【課題を解決するための手段】
【０００８】
上記目的を達成するため、本発明によると、空中に発射される飛翔体内に格納され、空中で飛翔体から外部に放出される円上散布型ＩＲデコイ弾であって、
空中で展開し下端部が円形に広がる主傘と、
前記展開時において主傘の前記円形に沿って間隔を隔てて吊下げられる複数の赤外線ポットと、を備える、ことを特徴とする円上散布型ＩＲデコイ弾が提供される。
【０００９】
また、本発明による円上散布型ＩＲデコイ弾は、さらに、空中で展開し前記主傘の天頂部を吊下げる副傘を有する。
【００１０】
また、前記間隔は、隣接する赤外線ポットから放射される赤外線の有効直径が重ならないように設定されている。
【００１１】
また、本発明によると、空中で展開し下端部が円形に広がる主傘と、
空中で展開し前記主傘の天頂部を吊下げる副傘と、
前記展開時において主傘の前記円形に沿って間隔を隔てて吊下げられる複数の赤外線ポットと、を備える円上散布型ＩＲデコイ弾を準備し、
（Ａ）前記飛翔体内に前記主傘と、前記複数の赤外線ポットを格納し、
（Ｂ）艦艇から前記飛翔体を発射し、
（Ｃ）空中において、前記主傘と前記複数の赤外線ポットとを放出し、
（Ｄ）前記放出後、前記主傘を展開する、ことを特徴とする円上散布型ＩＲデコイ弾の散布方法。
【００１２】
また、本発明による円上散布型ＩＲデコイ弾の散布方法は、さらに、空中で展開し前記主傘の天頂部を吊下げる副傘を準備し、
前記（Ａ）において、前記副傘を格納し、前記（Ｃ）において、前記副傘を放出し、前記（Ｄ）において、前記副傘を展開する。
【発明の効果】
【００１３】
本発明によると、赤外線ポットを主傘の下端に吊り下げる形で連結し、かつ、副傘によって主傘を天頂部から吊り下げることによって、赤外線ポットの拡散位置を調整することができる。
この構成によって、任意の方位に向けて赤外線ポットを放出することができるため、欺瞞を行う方位に対する放射強度が弱まることを防止することができる。
また、各赤外線ポット間の間隔を調整することができるため、各赤外線ポットから放射される赤外線が重なることを防止することができる。
【図面の簡単な説明】
【００１４】
【図１】従来技術における飛翔体を発射から赤外線放射までの模式図である。
【図２】従来技術における展開後の赤外線ポットについての模式図である。
【図３】本発明における飛翔体を発射から赤外線放射までの模式図である。
【図４】本発明における飛翔体の模式図である。
【図５】本発明における円上散布型ＩＲデコイ弾の拡大図である。
【図６】本発明における赤外線ポットの模式図である。
【発明を実施するための形態】
【００１５】
本発明の好ましい実施形態を図面に基づいて説明する。なお、各図において共通する部分には同一の符号を付し、重複した説明を省略する。
【００１６】
図３は、本発明における円上散布型ＩＲデコイ弾の模式図である。
この図において、１１は艦艇、１２は発射装置、１３は飛翔体、１４は赤外線ポット、１５は円上散布型ＩＲデコイ弾である。
【００１７】
艦艇１１は、この例においては、甲板上に発射装置１２が設置されており、ここから赤外線ポット１４が搭載されている飛翔体１３を発射することができる。
発射装置１２は、敵の欺瞞を行いたい位置に従って、発射角度を調整できるようになっていることが望ましい。
なお、この例において、発射装置１２は甲板上に設置されているが、艦艇１１の側壁等に設置されていてもよい。
赤外線ポット１４の散布は、飛翔体１３が発射装置１２よって発射されてから所定時間経過後、上空において飛翔体１３から散布されることによって行われる。
【００１８】
図４は、本発明における飛翔体の模式図である。
この図において、１３は飛翔体、１３ａは分離線、１３ｂは固定部、１３ｃは格納部、１３ｄはロケットモータ部、１４は赤外線ポット、１４ａは索、１５は円上散布型ＩＲデコイ弾である。
【００１９】
飛翔体１３は、この例においては中空の筒形状であり、内部に複数の赤外線ポット１４を格納している。この図において、赤外線ポット１４は４つ格納されているが、格納個数についてはこれに限られない。
赤外線ポット１４の拡散時においては、例えばこの図に示すように、分離線１３ａに従って飛翔体１３本体を分離させた後、固定部１３ｂによって飛翔体１３と固定されている赤外線ポット１４を、所定のタイミングで随時切り離していく構造であってよい。
飛翔体１３本体の分離タイミングについて、飛翔体１３内部に制御装置（図示しない）を有し、例えば、予め決まったタイミング又は艦艇１１からの遠隔操作によって、赤外線ポット１４を随時切り離していく構造であってもよい。
【００２０】
格納部１３ｃは、後述する主傘１５ａ及び副傘１５ｂを格納しており、飛翔体１３から赤外線ポット１４が展開されるタイミングで同時に主傘１５ａ及び副傘１５ｂを展開する。
なお、格納部１３ｃに格納された主傘１５ａは、飛翔体１３に格納されている全ての赤外線ポット１４と、索１４ａを介して連結している。
【００２１】
図５は、本発明における円上散布型ＩＲデコイ弾の拡大図である。
この図において、１４は赤外線ポット、１４ａは索、１５は円上散布型ＩＲデコイ弾、１５ａは主傘、１５ｂは副傘である。
【００２２】
主傘１５ａは、展開時においては略半球形状であり、その下端において、索１４ａによって、複数の赤外線ポット１４を吊り下げるものであり、この例においては、主傘１５ａは６つの赤外線ポットを吊り下げている。
吊り下げる赤外線ポット１４については、展開後において落下を安定させるために、３つ以上の赤外線ポット１４を等間隔に吊り下げるのが望ましい。
また、それぞれの赤外線ポット１４が赤外線を放出することによって敵等を欺瞞することができる範囲について、赤外線ポット１４を中心とした有効直径とすると、この例においては、隣接する赤外線ポット１４との間隔を５ｍ〜１０ｍ程度に保つことを想定している。そのため、この例のように６つの赤外線ポット１４を吊り下げる主傘１５ａを用いる場合には、主傘１５ａは３０ｍ程度の直径を有するものを使用することが望ましい。
なお、この有効直径については、赤外線ポット１４の仕様によって変更され得るものである。
【００２３】
副傘１５ｂは、展開時において、主傘１５ａをその天頂部から吊り下げるものである。
上述したように主傘１５ａの直径が３０ｍ程度のものを使用した場合、主傘１５ａの展開が完了するまでに海上等に落下してしまう場合がある。
よって、副傘１５ｂは、主傘１５ａが展開するまでの間、主傘１５ａ及び赤外線ポット１４を支えるために、主傘１５ａに備え付けられている構成であってもよい。
【００２４】
上記構成によれば、赤外線ポット１４を円弧上に散布することができるため、飛翔体１３から放出のタイミングのみを制御することによって、赤外線ポット１４間の間隔を一定に保つことができる。また、各赤外線ポット１４の赤外線ロスをなくし、従来よりも大きい放射強度を発生させることが可能になる。
さらに、これによって、方位によって放射強度が変化することがなくなるため、運用上の負担が軽減されるというメリットがある。
【００２５】
赤外線ポット１４は、この例においては円柱形状であり、飛翔体１３からの分離後所定時間経過後や艦艇１１からの遠隔操作による所定のタイミングで赤外線の発生を開始する構造であってよい。
【００２６】
図６は、本発明における赤外線ポットの模式図である。
この図において、１４は赤外線ポット、１４ｂはポット本体、１４ｃは噴出口である。
【００２７】
図６に示すように、ポット本体１４ｂは、内部に発煙剤（図示しない）を充填しており、発煙剤の点火に伴って、赤外線の放射を開始する。発煙剤が点火された後、噴出口１４ｃから赤外線が放射される構成になっている。
この例において、噴出口１４ｃは２つであるが、１つ以上であれば数に制限はない。
【００２８】
本発明は上述した実施の形態に限定されず、本発明の要旨を逸脱しない範囲で種々変更を加え得ることは勿論である。
【符号の説明】
【００２９】
１  艦艇、２  発射装置、３  飛翔体、４  赤外線ポット、
１１  艦艇、１２  発射装置、１３  飛翔体、１３ａ  分離線、
１３ｂ  固定部、１３ｃ  格納部、１３ｄ  ロケットモータ、
１４  赤外線ポット、１４ａ  索、
１４ｂ  ポット本体、１４ｃ  噴出口、１４ｄ  蓋、
１４ｅ  貫通穴、１４ｆ  回転軸、
１５  円上散布型ＩＲデコイ弾、
１５ａ  主傘、１５ｂ  副傘
【図１】
2013242093.tif 000003
【図２】
2013242093.tif 000004
【図３】
2013242093.tif 000005
【図４】
2013242093.tif 000006
【図５】
2013242093.tif 000007
【図６】
2013242093.tif 000008